(57)【要約】【課題】ネズミが忌避するとともに抗菌性を有する防鼠性部材、及び防鼠性部材を備えた畜舎を提供する。【解決手段】［１］複数の樹脂層１２，１３，１４からなる積層構造を備え、前記積層構造の最外層１２を除いた内側の樹脂層の少なくとも１層に防鼠剤が含まれ、最外層１２に抗菌剤が含まれている、防鼠性部材１０。［２］前記防鼠性部材は、間仕切り壁、柵、扉、スノコ、床板、屋根板、壁板、及び断熱板から選ばれる何れかである、［１］に記載の防鼠性部材。［３］［１］又は［２］に記載の防鼠性部材を備えた畜舎。［４］前記防鼠性部材によって構成された保育エリアを備えた［３］に記載の畜舎。【選択図】図２
2017192337.tif 000002
【特許請求の範囲】
【請求項１】
複数の樹脂層からなる積層構造を備え、前記積層構造の最外層を除いた内側の樹脂層の少なくとも１層に防鼠剤が含まれ、前記最外層に抗菌剤が含まれている、防鼠性部材。
【請求項２】
前記防鼠性部材は、間仕切り壁、柵、扉、スノコ、床板、屋根板、壁板、及び断熱板から選ばれる何れかである、請求項１に記載の防鼠性部材。
【請求項３】
請求項１又は２に記載の防鼠性部材を備えた畜舎。
【請求項４】
前記防鼠性部材によって構成された保育エリアを備えた請求項３に記載の畜舎。
【発明の詳細な説明】
【技術分野】
【０００１】
本発明は、防鼠性部材、及び畜舎に関する。
【背景技術】
【０００２】
豚、牛、鶏、馬等の家畜を飼育する畜舎には、餌を与えて大きく育てる肥育エリアの他に、交配、出産、繁殖、授乳、離乳等のエリアが区画されており、個々の家畜は成長レベルに応じたエリアで飼育される。生産効率を上げるために畜舎における家畜の飼育密度は高いことが好ましいが、衛生面の管理を入念に行う必要がある。このため、畜舎の各エリアを構成する、間仕切り壁、柵、扉、スノコ床、平床、天井等の部材を頻繁に洗浄することが好ましいが、洗浄に使用した廃水処理が大きな負担になる問題がある。
上記問題に対して、特許文献１では、表面にフッ素樹脂加工を施した畜舎用部材を提案している。この畜舎用部材によれば、簡単に汚れを落とせるので清掃性に優れ、清掃水の節約が可能となるので、廃水処理が容易になるという効果が奏される、としている。
【先行技術文献】
【特許文献】
【０００３】
【特許文献１】特開平９−２８２２５号公報
【特許文献２】特許第３７６５５２４号公報
【発明の概要】
【発明が解決しようとする課題】
【０００４】
ところで、家畜にとって快適な環境に整えられた畜舎は、野良ネズミを呼び寄せてしまう問題がある。野良ネズミが畜舎内を徘徊したり住み着いたりすることは衛生管理上問題があるので、畜舎からネズミを遠ざけることが求められている。また、畜舎を清浄に保つことも求められている。
【０００５】
本発明は、ネズミが忌避するとともに抗菌性を有する防鼠性部材、及び防鼠性部材を備えた畜舎を提供する。
【課題を解決するための手段】
【０００６】
ネズミには伸び続ける歯を削るために硬い物を齧る習性があり、畜舎のあらゆる部材が齧られる可能性がある。本発明者らはこの習性を逆手にとって、ネズミを遠ざけたい区画の部材に防鼠剤を練りこんだ防鼠性部材を使用することを考え、唐辛子の辛味成分であるカプサイシンをマイクロカプセル化した防鼠性塩化ビニル樹脂組成物（特許文献２参照）を用いた畜舎用部材を検討した。しかしながら、家畜や飼育者が触れる部材にカプサイシンが高濃度で含まれていると、家畜や飼育者に付着して不快な刺激を与えてしまう恐れがあった。本発明者らは上記畜舎用部材に代わる部材として、多層構成の部材において、外部に露出する最外層には防鼠剤が含まれず、内部層にのみ防鼠剤が含まれた積層構造を有する部材を検討した。その結果、上記の積層構造とすることにより、家畜や飼育者に防鼠剤が付着することを防止し、部材に噛みついたネズミの口内には防鼠剤が入るようにすることができることを見出した。さらに、防鼠性部材を含まない最外層に抗菌剤を含ませることにより、防鼠性部材を清浄に保つことができることを見出し、本発明を完成させた。すなわち、本発明は以下の通りである。
【０００７】
［１］複数の樹脂層からなる積層構造を備え、前記積層構造の最外層を除いた内側の樹脂層の少なくとも１層に防鼠剤が含まれ、前記最外層に抗菌剤が含まれている、防鼠性部材。
［２］前記防鼠性部材は、間仕切り壁、柵、扉、スノコ、床板、屋根板、壁板、及び断熱板から選ばれる何れかである、［１］に記載の防鼠性部材。
［３］［１］又は［２］に記載の防鼠性部材を備えた畜舎。
［４］前記防鼠性部材によって構成された保育エリアを備えた［３］に記載の畜舎。
【発明の効果】
【０００８】
本発明によればネズミが忌避するとともに抗菌性を有する防鼠性部材及び防鼠性部材を備えた畜舎を提供できる。
【図面の簡単な説明】
【０００９】
【図１】本発明の防鼠性部材の一例としての間仕切り壁１０の斜視図である。
【図２】図１のＡ−Ａ線で切断した断面図である。
【図３】本発明の防鼠性部材の一例としての柵２０の正面図である。
【図４】図３のＡ−Ａ線で切断した断面図である。
【図５】本発明の防鼠性部材の一例としてのスノコ３０の斜視図である。
【図６】図５のＡ−Ａ線で切断した断面図である。
【図７】本発明の防鼠性部材の一例としての壁板４０の斜視図である。
【図８】図７のＡ−Ａ線で切断した断面図である。
【図９】本発明の防鼠性部材の一例としての波板５０の斜視図である。
【図１０】図９のＡ−Ａ線で切断した断面図である。
【図１１】本発明の防鼠性部材を備えた畜舎の一例としての畜舎１の透視斜視図である。
【図１２】畜舎１の舎内の概観図である。
【発明を実施するための形態】
【００１０】
《防鼠性部材》
本発明の第一実施形態は、複数の樹脂層からなる積層構造を備え、前記積層構造の最外層を除いた内側の樹脂層の少なくとも１層に防鼠剤（鼠忌避剤）が含まれ、前記最外層に抗菌剤が含まれている防鼠性部材である。
前記積層構造としては、例えば、基材（基材層）と、内側の樹脂層（内側層）と、外部に露出する樹脂層（最外層）と、がこの順で配置された積層構造が挙げられる。
上記積層構造において、防鼠剤は、前記最外層を除いた、前記基材及び前記内側層のうち少なくとも一方に含まれる。
上記積層構造において、抗菌剤は前記最外層に含まれる。さらに、抗菌剤は前記基材及び前記内側層のうち少なくとも一方に含まれていてもよい。
以下、本発明にかかる防鼠性部材の畜舎用部材としての使用を例示する。
【００１１】
防鼠性部材の一例として、図１に示す間仕切り壁１０が挙げられる。間仕切り壁１０を構成する板材（板部）１１は、図２の断面図に示すように、防鼠剤を含まず、抗菌剤を含む最外層１２と、防鼠剤を含む内側層１３と、板材の構造的強度を維持する基材１４とがこの順で積層された積層構造を備える。
【００１２】
防鼠性部材の一例として、図３に示す柵２０が挙げられる。柵２０を構成する棒材２１は、図４の断面図に示すように、防鼠剤を含まず、抗菌剤を含む最外層２２と、防鼠剤を含む内側層２３と、棒材の構造的強度を維持する基材２４とがこの順で積層された同心円状の積層構造を備える。
【００１３】
防鼠性部材の一例として、図５に示すスノコ３０が挙げられる。スノコ３０を構成する板材３１は、図６の断面図に示すように、防鼠剤を含まず、抗菌剤を含む最外層３２と、防鼠剤を含む内側層３３と、板材の構造的強度を維持する基材３４とがこの順で積層された積層構造を備える。
【００１４】
防鼠性部材の別の一例として、図７に示す壁板４０が挙げられる。壁板４０は、図８の断面図に示すように、板材４１と、多孔質発泡樹脂からなる断熱材（遮熱材）４５とを備える断熱板（遮熱板）である。板材４１は、防鼠剤を含まず、抗菌剤を含む最外層４２と、防鼠剤を含む内側層４３と、板材４１の構造的強度を維持する基材４４とがこの順で積層された積層構造を備える。
【００１５】
防鼠性部材の別の一例として、図９に示す屋根板５０が挙げられる。屋根板５０は、図１０の断面図に示すように、板材５１と、多孔質発泡樹脂からなる遮熱材５５と、合成樹脂や鋼材からなる波板５６とを備える。板材５１は、防鼠剤を含まず、抗菌剤を含む最外層５２と、防鼠剤を含む内側層５３と、板材５１の構造的強度を維持する基材５４とがこの順で積層された積層構造を備える。
【００１６】
以上で説明した防鼠性部材における最外層、内側層、基材の各層の樹脂材料は特に限定されず、例えば、それぞれ独立に、高密度ポリエチレン、ポリプロピレン、エチレン−プロピレンブロック共重合体やランダム共重合体などのポリオレフィン系樹脂、ゴム変成ポリスチレン樹脂、ＡＢＳ樹脂、ポリ塩化ビニル樹脂、ポリアミド樹脂、ポリカーボネート樹脂、ポリエステル樹脂等が挙げられる。
【００１７】
上述した防鼠性部材の各例における最外層、内側層、基材の各層の間には公知の接着剤を用いた接着剤層が配置されていてもよい。
【００１８】
防鼠性部材の内側層又は基材に含まれる防鼠剤（鼠忌避剤）の種類は特に限定されず、例えば、カプサイシン、ジヒドロカプサイシン、ノルジヒドロカプサイシン、ホモカプサシン、ホモジヒドロカプサイシン等のカプサイシン類の他、ワサビやカラシの辛味成分であるアリルイソチオシアネート等が挙げられる。
【００１９】
防鼠性部材の内側層に含まれる防鼠剤の含有量としては、例えば、内側層の総質量に対して１〜２０質量％程度が好ましい。２０質量％以下であると、樹脂成分の相対的な含有量が過度に低下することを防ぎ、内側層の機械的強度を充分に維持し、最外層や基材に対する接着性を充分に維持することができる。１質量％以上であると、防鼠性の効果を充分に発揮することができる。
防鼠性部材の基材に防鼠剤が含まれる場合、基材の総質量に対する防鼠剤の含有量は、内側層に防鼠剤が含まれる場合と同様の観点から、１〜２０質量％程度が好ましい。
【００２０】
防鼠性部材の最外層に含まれる抗菌剤の種類は特に限定されず、公知の有機系抗菌剤、無機系抗菌剤が適用可能である。ここで、本明細書において「抗菌剤」は細菌、カビ等の菌類の増殖を抑制する薬剤をいう。
具体的には、従来から樹脂製品の加工時の加熱に耐えることができ、且つ樹脂製品に練り込んだ状態で持続性を有する安定な有機系抗菌剤として、例えば、２-（４-チアゾリル）-ベンズイミダゾール、Ｎ -（ フルオロジクロロメチルチオ）-フタルイミド、２，３，５，６-チトクロロ-４-（メチルスルホニル）-ピリジン、１０，１０´-オキシビスフェノキシアルシン、トリメトキシシリル-プロピルオクタデシルアンモニウムクロライド、２-ｎ-オクチル-４-イソチリアゾン-３-オン、ビス（２-ピリジルチオ-１-オキシド）亜鉛等が挙げられる。
また、無機系抗菌剤として、例えば、銀、銅、亜鉛等の抗菌性金属を、燐酸ジルコニウム、ゼオライト、ヒドロキシアパタイト、シリカ・アルミナ、シリカゲル等の無機多孔質体に担持した金属担持型の抗菌剤が挙げられる。
【００２１】
防鼠性部材の最外層に含まれる抗菌剤の含有量としては、例えば、最外層の総質量に対して０．１〜２０質量％程度が好ましい。２０質量％以下であると、樹脂成分の相対的な含有量が過度に低下することを防ぎ、最外層の機械的強度を充分に維持し、内側層に対する接着性を充分に維持することができる。０．１質量％以上であると、抗菌性の効果を充分に発揮することができる。
【００２２】
防鼠性部材における最外層、内側層、基材の各層には、耐衝撃改良剤として、エチレン−プロピレン共重合体ゴム、ポリブタジエンゴム、スチレン−ブタジエン−スチレンブロック共重合体ゴム（ＳＢＳ）、ＳＢＳを水添したスチレン−エチレン−ブチレン−スチレンブロック共重合体ゴム（ＳＥＢＳ）などのゴム類が含まれていてもよい。また、必要に応じて、機械的特性等を考慮して、金属粉、カーボンブラック、グラファィト、タルク、マイカ、クレー、炭酸カルシウム、シリカ、水酸化アルミニウム、水酸化マグネシウム、硫酸カルシウム、ガラス繊維、炭素繊維、チタン酸カルシウムウイスカー、繊維状のマグネシウムオキシサルフェートなどの無機充填剤・補強剤、結晶化促進剤、酸化防止剤、中和剤、発泡剤、滑剤、分散剤、過酸化物、熱安定剤、紫外線吸収剤、光安定剤、帯電防止剤、難燃剤、難燃助剤、可塑剤、顔料、染料などの添加剤が含まれていてもよい。
【００２３】
防鼠性部材における最外層、内側層、基材の各層の厚みは、部材の種類や用途に応じて適宜設定すればよい。一例として、最外層の厚みは、例えば０．１ｍｍ〜５ｍｍとすることができ、内側層の厚みは０．１ｍｍ〜５ｍｍとすることができ、基材（層）の厚みは５ｍｍ〜５０ｍｍとすることができる。
【００２４】
以上で説明した防鼠性部材の製造方法は特に限定されず、多層樹脂部材を製造する公知方法が適用可能であり、例えば、樹脂材料、防鼠剤、抗菌剤、添加剤を適宜配合して溶融混練して得られた樹脂ペレットを、押出機、ブロー成形装置、射出成型機等に供給し、公知の多層成形方法によって目的の防鼠性部材を成型して得ることができる。
また、防鼠剤を含む樹脂塗料を用意して、基材の上に当該塗料からなる塗膜（内側層）を形成し、さらにその塗膜の上に防鼠剤を含まず、抗菌剤を含む樹脂塗料を塗布してコーティング層（最外層）を形成することにより、目的の防鼠性部材を作製することもできる。
【００２５】
次に、上記の間仕切り壁１０、柵２０、スノコ３０、壁板４０、屋根板５０等の防鼠性部材を備えた畜舎１を図１１に例示し、その舎内の概観を図１２に示す。
【００２６】
畜舎１は、四方が壁板４０によって囲われ、屋根板５０を用いた屋根が載せられた構造を有する。
【００２７】
畜舎１の壁は、２組の壁板４０の断熱材４５を向い合せ、一方の壁板４０の板材４１を舎内に向けて、他方の壁板４０の板材４１を屋外へ向けて設置することにより形成されている。畜舎１の外壁及び内壁に家畜や飼育者が触れたとしても、最外層４２に接触するだけであり、防鼠剤を含む内側層４３には接触しない。
また、畜舎１の外壁及び内壁を構成する板材４１の最外層４２には抗菌剤が含まれているので、雑菌やカビの増殖が抑制されており、清浄に保たれる。
【００２８】
畜舎１の屋根は、合成樹脂や鋼板からなる波板５６を屋外へ向けて、波板５６との間に充填された遮熱材５５を支える板材５１を舎内へ向けて設置することにより形成されている。板材５１において、防鼠剤を含む内側層５３は、抗菌剤を含む最外層５２によって被覆されているため、内側層５３に含まれる防鼠剤が舎内の家畜や飼育者に向けて落下する恐れがない。一方、もしも最外層５２が備えられていない場合、雨や結露によって防鼠剤が屋根材から滲み出し、これが舎内へ落下する恐れがある。また、雨や結露によって屋根材の表面の湿度が高くなったとしても、最外層５２には抗菌剤が含まれているので、雑菌やカビの増殖が抑制されており、清浄に保たれる。
【００２９】
舎内には、家畜を囲って飼育するための複数の囲い２が設けられている。舎内を概観すると、図１２に示すように、周囲の内壁３、天井４、床５によって形成されている。囲い２は、パネル状の間仕切り壁１０と、柵２０とから構成されており、家畜が乗り越えられない高さとされている。柵２０の一部は開閉自在の扉とされ、家畜の出し入れが可能となっている。床５は、スノコ３０が敷かれたスノコ床と、スノコ３０を構成する板材３１と同様の床板６が敷かれた平床とを有する。スノコ床の下方には家畜Ｐの糞尿を排出する下水路（不図示）が配設されている。この他、囲い２内には、図示しない給餌器、給水器等の舎内に一般的に設置される設備が設けられている。
内壁３は前述の壁板４０によって形成され、天井４は前述の壁板４０又は屋根板５０によって形成されている。
【００３０】
一般に、畜舎における床材は家畜や飼育者に踏まれることにより、表面が削れたり、ささくれ立ったりすることがある。もしも防鼠性部材の表面に最外層が備えられていない場合には、防鼠剤を含む樹脂が部材から削られ、防鼠剤が細かい塵屑として舎内に散らばるため、家畜や飼育者の目・鼻・口に入る恐れがある。一方、本発明の防鼠性部材の表面には防鼠剤を含まない最外層が備えられているため、防鼠剤を含む樹脂が部材から削られることが抑制され、防鼠剤が家畜や飼育者に取り込まれることを防止することができる。
【００３１】
上記のように舎内の床を構成する部材から防鼠剤が漏出し、その塵屑が発生することを防止する観点から、本発明の防鼠性部材は、踏まれたり激しく擦られたりする床材、開閉が行われる柵等の摺動部材、他の物との摩擦が生じ得る間仕切り壁として特に有用である。
また、家畜のなかでも生後半年未満程度の幼齢期の家畜は、防鼠剤に対してより敏感であるため、畜舎において幼齢期の家畜を飼育する保育エリアに本発明の防鼠性部材を備えることが好ましい。保育エリアの構成部材として、前述の部材の全てが適用可能である。
さらに、幼齢期の家畜は病原菌に対する抵抗力も弱いため、保育エリアが清浄に保たれることは特に重要である。本発明の防鼠性部材の最外層には抗菌剤が含まれているため、家畜の糞尿が付着した場合にも病原菌の増殖を抑制することができるので、保育エリアの構成部材として特に有用である。
【００３２】
以上、本発明の防鼠性部材によれば、家畜や飼育者に防鼠剤が付着することを防止しつつ、防鼠性部材に噛みついたネズミの口内には防鼠剤が入るので、防鼠性部材を用いた建物からネズミを遠ざけることができる。本発明にかかる防鼠性部材は、畜舎に限らず、ネズミが近づく可能性がある建物全般に備えることができる。
また、本発明にかかる防鼠性部材の表面は抗菌剤によって清浄に保たれるため、家畜に与える餌、家畜から搾乳された乳、家畜の糞尿等が付着して不衛生になり易い畜舎用部材として特に有用である。
【符号の説明】
【００３３】
１…畜舎、２…囲い、３…内壁、４…天井、５…床、６…床板、１０…間仕切り壁、１１…板材、１２…最外層、１３…内側層、１４…基材、２０…柵、２１…棒材、２２…最外層、２３…内側層、２４…基材、３０…スノコ、３１…板材、３２…最外層、３３…内側層、３４…基材、４０…壁板、４１…板材、４２…最外層、４３…内側層、４４…基材、４５…断熱材、５０…屋根板、５１…板材、５２…最外層、５３…内側層、５４…基材、５５…遮熱材、５６…波板、Ｐ…家畜
【図１】
2017192337.tif 000003
【図２】
2017192337.tif 000004
【図３】
2017192337.tif 000005
【図４】
2017192337.tif 000006
【図５】
2017192337.tif 000007
【図６】
2017192337.tif 000008
【図７】
2017192337.tif 000009
【図８】
2017192337.tif 000010
【図９】
2017192337.tif 000011
【図１０】
2017192337.tif 000012
【図１１】
2017192337.tif 000013
【図１２】
2017192337.tif 000014